(57)【要約】      （修正有）【課題】高さの変化と、畳の養生の双方を可能にした畳用お参り椅子を提供する。【解決手段】畳の上で使用可能な椅子の座面底板にエル字金具を内寄り外寄りの前後に取り付けて、脚部の上縁部１を金具に当てる事で使用者の体形に合わせた座高を調節する機能を持たせ、半円形の養生板２を脚部下縁部に取り付ける事により座高の変化に伴って発生する養生板２の角度の変化によって起こる畳表を傷つける危険を除去する。【選択図】図１
0003192084.tif 000002
【実用新案登録請求の範囲】
【請求項１】
畳の上で使用可能な養生板付き椅子を座面と脚部に分けて脚部下縁部に半円形の養生板にする事で座高面を変化させた時に発生する養生板の角度の変化によって畳表を傷つける可能性を除去した畳専用椅子の脚部である。
【請求項２】
畳の上で使用可能な養生板付き椅子を座面と脚部に分けて座面底板にエル字金具を内寄りと外寄りの前後に夫々固定し、脚部上縁部の板を内内、外外、内外に当てる事で高さを三段階体格に合わせて変化させる事を可能にした畳専用椅子である。
【考案の詳細な説明】
【技術分野】
【０００１】
本考案は、足の痛い僧侶が檀家周りの際に仏壇の前で使用できる畳用お参り用椅子である。
【背景技術】
【０００２】
仏壇の安置場所は圧倒的に畳の間が多く、必然的に正座をしてお参りする事が前提になっているが、近年は僧侶も椅子の生活が多くなったこと、更には肥満や運動不足が災いして膝を痛めた住職が急激に増加している。そのため畳の上で使用できる椅子を開発する事が急がれるが、既存の本堂椅子では持ち運びに困難でしかも僧侶の体格に応じて高さを変更出来る物が存在せず、更に高さを変更した場合に畳を養生する為に取り付けられている養生板の角度が変わることによってかえって畳を痛めてしまう原因になりかねなかったが、そこで、座面と脚部を切り離し、座面の底板にエル字金具を中央寄りと外寄り夫々前後八ヶ所に固定し、そこに椅子の脚部の前後を板で繋いだ二組の中央をボルトで接続させる事で角度を変え、折りたたむことを可能にした脚部の上縁部をエル字金具に当てる事で上、中、下の三段階に座面の高さを変え、脚部の下縁部には足に使用した木よりも一回り大きな半円形の養生板を取り付ける事で、三段階の高さの変化に対して夫々同じ面積で畳と養生板との接点を確保する事を可能にした畳用お参り椅子である。
【考案の概要】
【考案が解決しようとする課題】
【０００３】
お寺の本堂で使用可能な本堂椅子は存在するが、檀家周りの際に使用できる持ち運びに適した組立式の椅子は未だ種類が少なく、住職の体格に応じた物を求めることが出来ず、これに対して高さを変化させる事を目的にすれば畳面を保護するための養生板の角度が変わるためにかえって畳面を痛めてしまう原因になりかねなかったが、これに対して座面と脚部を切り離し、座面の底板にエル字金具を中央寄り外寄り夫々前後八ヶ所に固定し、そこに椅子の脚部の前後を板で繋いだ二組の中央をボルトで接続させる事で角度を変え、折りたたむことを可能にした脚部の上縁部を固定されたエル字金具に当てる事で上、中、下、三段階に座面の高さを変え、脚部の下縁部には足に使用した木よりも一回り大きな半円形の養生板を取り付ける事で、三段階の高さの変化に対応して夫々同じ面積で畳と養生板との接点を確保する事を可能にし、高さの変化と、畳の養生の双方を可能にした畳用椅子である。
【課題を解決するための手段】
【０００４】
畳の上で使用可能な椅子の座面の高さを使用者の体型に応じて変化させるには、座面と脚部を切り離し、
座面の底面にエル字金具を中央寄りと外寄りの夫々前後の八ヶ所に固定し、そこに脚部の前後を板で繋いだ二組の中央をボルトで接続し角度を変え折りたたむことを可能にした脚部の上縁部を固定された金具に当てる事で上、中、下、と三段階に座面の高さを変える事を可能にし、座面の高さが変化する事によって起こる養生板による畳面を痛める可能性については、脚部の下縁部に足に使用した木よりも一回り大きな半円形の養生板を取り付ける事で、三段階の高さの変化に対応して夫々同じ面積で畳と養生板との接点を確保する事を可能にした。
【考案の効果】
【０００５】
膝痛に限らず捻挫、骨折等の不慮の事故によって当分の間正座が出来ない状況に於いても檀家参りが可能になる事に加え、現在雅楽の際に使用する椅子は神道用の折りたたみ椅子を使用するケースが大半であるが、仏式の場合に此れを使用すればより格調高く仏のイメージにも即した演出効果も期待でき、僧侶の体格に応じた高さ調節機能と高さ調節に伴い養生板の角度が変わることに依って畳表を痛める可能性をなくした。
【図面の簡単な説明】
【０００６】
【図１】座面底板に固定したエル字金具と脚部が中の高さにセットした時の図である。
【図２】座面底板に固定したエル字金具と脚部が上の高さにセットした時の図である。
【図３】座面底板に固定したエル字金具と脚部が下の高さにセットした時の図である。
【図４】座面底板にエル字金具を固定した図である。
【図５】本考案の斜視図である。
【考案を実施するための形態】
【０００７】
以下、本考案の実施の形態について図面をもとに説明する。図１は本考案に関わる座面の底板に脚部を固定する為のエル字金具に脚部上縁部を当て中の高さに固定した時の図であり、脚部下縁部の半円形の養生板が畳面と直角に接している図である。図２は座面の底板に脚部を固定する為のエル字金具に脚部上縁部を当て上の高さに固定した時の図であり、脚部下縁部の半円形の養生板がやや外側に傾くも図１と同じく畳面と一定の面積を有して接している図である。図３は座面の底板に脚部を固定する為のエル字金具に脚部上縁部を当て下の高さに固定した時の図であり、脚部下縁部の半円形の養生板がやや内側に傾くも図１と同じく畳面と一定の面積を有して接している図である。図４は座面の底板に脚部上縁部を高さ調節を可能にして固定する為のエル字金具を固定している図である。
【実施例】
【０００８】
図１は座面の底板に取り付けられた脚部固定金具に脚部上縁部の横板が中の高さに固定され、脚部下縁部の養生板が畳と直角に接している図である。図２は座面の底板取り付けられた脚部固定金具に脚部上縁部の横板が上の高さに固定され、脚部下縁部の養生板が畳に対し図１と同様の接地面を有している図である。図３は座面の底板に取り付けられた脚部固定金具の横板が下の高さに固定され、脚部下縁部の養生板が畳面に対し図１と同様の接地面を有している図である。
【産業上の利用可能性】
【０００９】
住職が檀家廻りの際に、障害、怪我、捻挫等の理由により畳面で正座が不可能な際の補助具として幅広く活用され、楽僧と言う方たちがホテルの結婚式や様々な行事で雅楽演奏の際に活用が見込まれる。
【符号の説明】
【００１０】
1  座面底板の脚部固定金具によって固定されている脚部上縁部。
２  脚部下縁部が畳面と一定の面積を有して接している養生板。
３  座面底板の脚部固定金具によって固定されている脚部上縁部。
４  脚部下縁部が畳面と一定の面積を有して接している養生板。
５  座面底板の脚部固定金具によって固定されている脚部上縁部。
６  脚部下縁部が畳面と一定の面積を有して接している養生板。
７  脚部上縁部を座面底板に固定する為の固定金具。
【図１】
0003192084.tif 000003
【図２】
0003192084.tif 000004
【図３】
0003192084.tif 000005
【図４】
0003192084.tif 000006
【図５】
0003192084.tif 000007